(57)【要約】【課題】寒冷地でも快適に使用することができ、リビング的な共有空間を確保して友人などと談笑することができて孤独感を解消することのできるテントを提供する。【解決手段】下側へ開放し、交差させて設置される２本の梁１１と、この２本の梁１１の内側に取り付けられ、ファスナ１３で開閉可能な内側開閉幕１２ａを有した内側テント布１２と、２本の梁１１に平行に取り付けられる２本の支持パイプ２１と、この２本の支持パイプ２１を覆うように取り付けられ、左右辺がファスナ２３で開閉可能であるとともに、上辺を支点として開閉可能な正方形の外側開閉幕２２ａを有した外側テント布２２とを備え、外側開閉幕２２ａの下辺に、第１ファスナ部分２４ａと、この第１ファスナ部分２４ａに係脱可能な第２ファスナ部分２４ｂとからなるファスナ２４の第１ファスナ部分２４ａを取り付けたテントＴ。【選択図】図１
2008121238.tif 000002
【特許請求の範囲】
【請求項１】
下側へ開放し、交差させて設置される２本の梁と、
この２本の梁の内側に取り付けられ、ファスナで開閉可能な内側開閉幕を有した内側テント布と、
前記２本の梁に平行に取り付けられる２本の支持パイプと、
この２本の支持パイプを覆うように取り付けられ、左右辺がファスナで開閉可能であるとともに、上辺を支点として開閉可能な正方形の外側開閉幕を有した外側テント布とを備え、
前記外側開閉幕の下辺に、第１ファスナ部分と、この第１部分に係脱可能な第２ファスナ部分とからなるファスナの前記第１ファスナ部分を取り付けた、
ことを特徴とするテント。
【請求項２】
下側へ開放し、交差させて設置される２本の梁と、
この２本の梁の内側に取り付けられ、ファスナで開閉可能な内側開閉幕を有した内側テント布と、
前記２本の梁に平行に取り付けられる２本の支持パイプと、
この２本の支持パイプを覆うように取り付けられ、左右辺がファスナで開閉可能であるとともに、上辺を支点として開閉可能な２つの正方形の外側開閉幕を対向位置に有した外側テント布とを備え、
前記２つの外側開閉幕の一方の下辺に、第１ファスナ部分と、この第１ファスナ部分に係脱可能な第２ファスナ部分とからなるファスナの前記第１ファスナ部分を取り付け、
前記２つの外側開閉幕の他方の下辺に前記第２ファスナ部分を取り付けた、
ことを特徴とするテント。
【請求項３】
請求項１または請求項２に記載のテントにおいて、
前記外側開閉幕の１辺と同じ大きさの１辺を有した正方形で、一方の隣接する２辺に前記第１ファスナ部分を取り付けるとともに、他方の隣接する２辺に前記第２ファスナ部分を取り付けた接続布を備える、
ことを特徴とするテント。
【請求項４】
請求項１または請求項２に記載のテントにおいて、
前記２つの外側開閉幕の左右に隣接する前記外側テント布の部分の少なくとも１つに空気抜け部を設けた、
ことを特徴とするテント。
【請求項５】
請求項１または請求項２に記載のテントにおいて、
前記２本の梁に、前記支持パイプがずり落ちるのを防止する折り曲げ部分を設けた、
ことを特徴とするテント。
【発明の詳細な説明】
【技術分野】
【０００１】
この発明は、例えば、バイクでツーリングする際に使用するのに好適なテントに関するものである。
【背景技術】
【０００２】
従来、バイクでツーリングする場合、目的地に宿泊施設がなかったり、駐車場に隣接してキャップ場が設けられていたり、気に入った場所に宿泊したいので、テントを持参して設営し、使用している。
【０００３】
このようなテントは、例えば、下側へ開放し、交差させて設置される組立、折り畳み可能な２本の梁と、この２本の梁の内側に取り付けられ、ファスナで開閉可能な開閉幕を有したテント布とで構成され、ペグと称される固定具などを使用して望みの場所に固定し、設営する。
【発明の開示】
【発明が解決しようとする課題】
【０００４】
従来のテントは、１枚のテント布でテントの内側と外側とを仕切っているので、寒冷地で使用する場合、寒さを有効に遮ることができず、快適に使用することができなかった。
また、友人などと連れだってバイクでツーリングしてテントを設営する場合、個々のテントを設営することができるものの、リビング的な共有空間を確保して友人などと談笑することができず、孤独感にさいなまれることがあった。
【０００５】
この発明は、上記したように不都合を解消するためになされたもので、寒冷地でも快適に使用することができ、リビング的な共有空間を確保して友人などと談笑することができて孤独感を解消することのできるテントを提供するものである。
【課題を解決するための手段】
【０００６】
この発明は、以下のような発明である。
（１）下側へ開放し、交差させて設置される２本の梁と、この２本の梁の内側に取り付けられ、ファスナで開閉可能な内側開閉幕を有した内側テント布と、前記２本の梁に平行に取り付けられる２本の支持パイプと、この２本の支持パイプを覆うように取り付けられ、左右辺がファスナで開閉可能であるとともに、上辺を支点として開閉可能な正方形の外側開閉幕を有した外側テント布とを備え、前記外側開閉幕の下辺に、第１ファスナ部分と、この第１部分に係脱可能な第２ファスナ部分とからなるファスナの前記第１ファスナ部分を取り付けたことを特徴とするテント。
（２）下側へ開放し、交差させて設置される２本の梁と、この２本の梁の内側に取り付けられ、ファスナで開閉可能な内側開閉幕を有した内側テント布と、前記２本の梁に平行に取り付けられる２本の支持パイプと、この２本の支持パイプを覆うように取り付けられ、左右辺がファスナで開閉可能であるとともに、上辺を支点として開閉可能な２つの正方形の外側開閉幕を対向位置に有した外側テント布とを備え、前記２つの外側開閉幕の一方の下辺に、第１ファスナ部分と、この第１ファスナ部分に係脱可能な第２ファスナ部分とからなるファスナの前記第１ファスナ部分を取り付け、前記２つの外側開閉幕の他方の下辺に前記第２ファスナ部分を取り付けたことを特徴とするテント。
（３）（１）または（２）に記載のテントにおいて、前記外側開閉幕の１辺と同じ大きさの１辺を有した正方形で、一方の隣接する２辺に前記第１ファスナ部分を取り付けるとともに、他方の隣接する２辺に前記第２ファスナ部分を取り付けた接続布を備えることを特徴とする。
（４）（１）または（２）に記載のテントにおいて、前記２つの外側開閉幕の左右に隣接する前記外側テント布の部分の少なくとも１つに空気抜け部を設けたことを特徴とする。
（５）（１）または（２）に記載のテントにおいて、前記２本の梁に、前記支持パイプがずり落ちるのを防止する折り曲げ部分を設けたことを特徴とする。
【発明の効果】
【０００７】
この発明によれば、内側テント布の外側に外側テント布が位置する二重構造なので、内側テント布と外側テント布との間の空気層が断熱層として機能することにより、寒冷地でも快適に使用することができる。
そして、外側開閉幕の１辺と同じ大きさの１辺を有した正方形で、一方の隣接する２辺に第１ファスナ部分を取り付けるとともに、他方の隣接する２辺に第２ファスナ部分を取り付けた接続布を備えているので、接続布を使用して複数のテントの外側開閉幕同士を変化に富んだ形態で接続し、例えば、支柱で外側開閉幕および接続布を支えることにより、外側開閉幕および接続布の下に、リビング的な共有空間を確保して友人などと談笑することができて孤独感を解消することができる。
さらに、２つの外側開閉幕の左右に隣接する外側テント布の部分の少なくとも１つに空気抜け部を設けたので、内側開閉幕を開放することにより、例えば、内側テント布内で料理をしたときに発生する煙を、空気抜け部から排出させることができる。
さらに、２本の梁に、支持パイプがずり落ちるのを防止する折り曲げ部分を設けたので、折り曲げ部よりも上側の梁の部分に支持パイプを取り付けることにより、支持パイプが折り曲げ部よりも下側へずり落ちるのを防止することができる。
【発明を実施するための最良の形態】
【０００８】
以下、この発明の実施例を図に基づいて説明する。
【０００９】
図１はこの発明の一実施例であるテントの、外側テントを仮想線で示した内側テントの斜視図、図２はこの発明の一実施例であるテントの斜視図、図３は発明の一実施例であるテントの接続布を示す平面図、図４〜図６はこの発明のテントの外側開閉幕同士を接続する形態を示す説明図である。
【００１０】
この発明のテントＴは、図１に示すように、下側へ開放し、交差させて設置される２本の梁１１と、図１に示すように、２本の梁１１の内側に、例えば、２本の梁１１に吊り下げて取り付けられ、密着可能なファスナ１３で開閉可能な内側開閉幕１２ａを有した内側テント布１２と、図１に示すように、２本の梁１１の外側に平行に取り付けられる２本の支持パイプ２１と、図２に示すように、２本の支持パイプ２１を覆うように取り付けられ、左右辺が密着可能なファスナ２３で開閉可能であるとともに、上辺を支点として開閉可能な２つの正方形の外側開閉幕２２ａ，２２ｂ（外側開閉幕２２ｂは図４〜図６を参照。）を対向位置に有した外側テント布２２と、図３に示すように、外側開閉幕２２ａ，２２ｂの１辺と同じ大きさの１辺を有した正方形で、外側開閉蓋２２ａ，２２ｂ同士を接続する接続布３１と、外側開閉幕２２ａの左右に隣接する外側テント布２２の部分、例えば、三角布部分２２ｃの左側の三角布部分２２ｃに設けた、雨水などを外側から内側へ侵入させずに煙などを内側から外側へ通過させる空気抜け部４１とで構成されている。
【００１１】
上記した梁１１および支持パイプ２１は、組立、折り畳み可能な構成で、携帯可能とされている。
そして、各梁１１には、図１に示すように、対称な所定の高さに位置する２つの折り曲げ部１１ａが設けられている。
なお、支持パイプ２１は、図１に示すように、内側テント布１２の外側に設けられた２つの筒状の挿通支持部１２ｂに挿通されることにより、梁１１の折り曲げ部１１ａよりも上側の外側に、折り曲げ部１１ａよりも下側へずり落ちないように内側テント布１２の重さで取り付けられている。
【００１２】
上記した内側テント布１２は、図示を省略されているものの、グランドシート部を有している。
【００１３】
上記した外側テント布２２に設けた外側開閉幕２２ａの下辺には、図３に示す、第１ファスナ部分２４ａと、この第１ファスナ部分２４ａに係脱可能な第２ファスナ部分２４ｂとからなるファスナ２４の第１ファスナ部分２４ａが取り付けられている。
また、外側テント布２２に設けた外側開閉幕２２ｂの下辺には、図３に示すファスナ２４を構成する第２ファスナ部分２４ｂが取り付けられている。
【００１４】
上記した正方形の接続布３１には、図３に示すように、一方の隣接する２辺にファスナ２４を構成する第１ファスナ部分２４ａが取り付けるとともに、他方の隣接する２辺にファスナ２４を構成する第２ファスナ部分２４ｂが取り付けられている。
【００１５】
この発明のテントＴは、まず、ペグＰなどを使用して内側テント布１２を、通常のテントを設営するのと同様に、図１に示すように、設置する。
そして、各挿通支持部１２ｂに支持パイプ２１を挿通し、各支持パイプ２１の両端部分を梁１１の折り曲げ部１１ａよりも上側の外側に載置することにより、２本の梁１１に２本の支持パイプ２１を、図１に示すように、平行に取り付ける。
このようにして取り付けた２本に支持パイプ２１を覆うように、外側テント布２２を取り付け、内側テント布１２と同様に、ペグＰなどを使用して内側テント布１２を、図２に示すように、設置することにより、設営することができる。
【００１６】
この発明の一実施例によれば、内側テント布１２の外側に外側テント布２２が位置する二重構造なので、内側テント布１２と外側テント布２２との間の空気層が断熱層として機能することにより、寒冷地でも快適に使用することができる。
そして、外側開閉幕２２ａ，２２ｂの１辺と同じ大きさの１辺を有した正方形で、一方の隣接する２辺に第１ファスナ部分２４ａを取り付けるとともに、他方の隣接する２辺に第２ファスナ部分２４ｂを取り付けた接続布３１を備えているので、接続布３１を使用して複数のテントＴの外側開閉幕２２ａ，２２ｂ同士を、図４〜図６に示すように、変化に富んだ形態で接続し、例えば、支柱で外側開閉幕２２ａ，２２ｂおよび接続布３１を支えることにより、外側開閉幕２２ａ，２２ｂおよび接続布３１の下に、リビング的な共有空間を確保して友人などと談笑することができて孤独感を解消することができる。
さらに、２つの外側開閉幕２２ａ，２２ｂの左右に隣接する外側テント布２２の三角布部分２２ｃに空気抜け部４１を設けたので、内側開閉幕１２ａを開放することにより、例えば、内側テント布１２内で料理をしたときに発生する煙を、空気抜け部４１から排出させることができる。
さらに、２本の梁１１に、支持パイプ２１がずり落ちるのを防止する折り曲げ部分１１ａを設けたので、折り曲げ部１１ａよりも上側の梁１１の部分に支持パイプ２１を取り付けることにより、支持パイプ２１が折り曲げ部１１ａよりも下側へずり落ちるのを防止することができる。
【００１７】
上記した実施例では、外側テント布２２が対向位置に２つの外側開閉幕２２ａ，２２ｂを有する例を示したが、外側テント布は１つの外側開閉幕を有するものであっても、同様に機能させ、同様な効果を得ることができる。
また、梁１１に支持パイプ２１を取り付けるのを、内側テント布１２に設けた挿通支持部１２ｂを利用する例を示したが、梁１１に支持パイプ２１を紐などで縛り付けることによって取り付けても、同様な効果を得ることができる。
また、外側開閉幕２２ａ，２２ｂの下辺に向ける第１、第２ファスナ部分２４ａ，２４ｂと、接続布３１に設ける第１、第２ファスナ部分２４ａ，２４ｂは、図３に示した例の他、面ファスナを構成する第１、第２ファスナ部分、または、ホックを構成する第１、第２ファスナ部分などの同様に機能するファスナを構成する第１、第２ファスナ部分としても、同様な効果を得ることができる。
【図面の簡単な説明】
【００１８】
【図１】この発明の一実施例であるテントの、外側テントを仮想線で示した内側テントの斜視図である。
【図２】この発明の一実施例であるテントの斜視図である。
【図３】発明の一実施例であるテントの接続布を示す平面図である。
【図４】この発明のテントの外側開閉幕同士を接続する形態を示す説明図である。
【図５】この発明のテントの外側開閉幕同士を接続する形態を示す説明図である。
【図６】この発明のテントの外側開閉幕同士を接続する形態を示す説明図である。
【符号の説明】
【００１９】
Ｔ      テント
１１    梁
１１ａ  折り曲げ部
１２    内側テント布
１２ａ  内側開閉幕
１２ｂ  挿通支持部
１３    ファスナ
２１    支持パイプ
２２    外側テント布
２２ａ  外側開閉幕
２２ｂ  外側開閉幕
２２ｃ  三角布部分
２３    ファスナ
２４    ファスナ
２４ａ  第１ファスナ部分
２４ｂ  第２ファスナ部分
３１    接続布
４１    空気抜け部
Ｐ      ペグ
【図１】
2008121238.tif 000003
【図２】
2008121238.tif 000004
【図３】
2008121238.tif 000005
【図４】
2008121238.tif 000006
【図５】
2008121238.tif 000007
【図６】
2008121238.tif 000008